(57)【要約】【課題】  従来の一般的防水腕カバーには、子供や高齢者や体の不自由な方にも簡単に着脱自在の物が無かった。また、洗顔時、衣類の袖口を濡らして不快な思いをした。従来の腕カバーが複雑な形状なため使用後は、水切れが悪い為に乾燥が必要で面倒であった。【解決手段】  本発明の手首用水浸入防止ガードは、弾性材の特質を利用する事で手を入れる開口穴は、力が無い方でもスムーズに挿入でき、手首に密着するので水の浸入を防止でき、衣類の袖口は濡れないので能率よい作業ができ、形がシンプルな平面なので水切れが良いので衛生面でも清潔である。【選択図】図５
2009228196.tif 000002
【特許請求の範囲】
【請求項１】
円盤状で、中央に手首装着用穴を開口した、その穴の周囲全体の材質をラテックスで構成してあることが特徴である手首用水浸入防止ガード。
【請求項２】
円盤状の外側円周に、つば状に張りを出すために、合成樹脂材で強化したドーナツ形を特徴とする手首用水浸入防止ガード。
【発明の詳細な説明】
【技術分野】
【０００１】  本発明は手首に装着して、洗顔時に腕や手首を伝わって肘側に流れる水や洗顔溶液等で着用している衣服の袖口や袖、腕に装着している腕時計やブレスレットといった装身具が濡れるのを防止する手首用水浸入防止ガードに関するものである。
【背景技術】
【０００２】  従来の一般的な防水腕カバーには、ラッパ形、筒形の袖口と上腕部を輪差にして手首はゴム紐を通して絞って縮めたものである。その従来技術は、水をすくった手や濡れた手を肘の関節を曲げて上の方に上げたりすると、ゴム紐で縮めた事により出来た細かいギャザーの隙間から水が手首内部に侵入してしまい袖口を濡らす事で不快になっていた。【０００３】  また、特許文献１は、本体に手をいれる楕円の穴を設けてあり、本体に設けた４個の小穴と、これを結ぶ十字型の切り込みを設けたことを特徴とする手首に付ける防水用品が提案されている。
【特許文献１】特開２００５−７６１６７
【発明の開示】
【発明が解決しようとする課題】
【０００４】  その従来の技術の課題は、上記特許文献１は、楕円の穴に手を入れる際、楕円の穴に手の向きを合わせて入れることで使用するたび面倒である。本体に設けた４個の小穴と、これを結ぶ十字型の切り込みがあることで、手首の皮膚が挟まれることや、腕毛の多い方は毛が挟まれて痛いことがある。
【課題を解決するための手段】
【０００５】  本発明は、円盤状で、中央に手首装着用穴を開口した、その穴の周囲全体の材質をラテックスで構成してあり、円盤状の外側円周に、つば状に張りを出すために、合成樹脂材で強化したドーナツ形を特徴とする手首用水浸入防止ガードを提案する。【０００６】  本発明は、上記のような課題を解決すべく創案されたものであって、その目的とするところは、中央に設けた手首装着用穴である。手の向きなど関係なく入れられ、着脱自在の丸穴にして、その穴の周囲全体の材質を、伸縮自在のラテックスで構成することにより、手首に密着してつけることができるので、水の浸入が防止できる。【０００７】  図４参照、（１）を手首に装着すると、手首の周囲につば状に張り出した形でつけられることを特徴とする手首用水浸入防止ガードを提案することにある。
【発明の効果】
【０００８】  本発明の手首用水浸入防止ガードを装着使用して、次のような効果がある。
（１）  洗顔時、洗面台の回りに、水が飛び散らずにすみ、掃除が楽になる。
（２）  水を使用する際、袖口を捲り上げたり、装身具など外したりする煩わしさもなく、作業しても袖口が濡れないので不快感がなく、作業効率が上がる。
（３）  着脱が簡単なため、子供や高齢者や体の不自由な方が使いやすい効果がある。
（４）  子供達に、濡れるのが嫌で、洗顔しない子がいたが、洗顔をするようになった。
（５）  幼稚園位の子供達は、手洗いが下手で袖を濡らし、お母さん達はイライラしていたが、イライラしなくなった。
（６）  防水効果が高いので水切れが良いことで干す手間が省け衛生面でも清潔である。
（７）  服が濡れないことで洗濯の手間が省け、水、電気，洗剤の節約、エコになる。
【発明の実施するための最良の形態】
【０００９】  本発明の手首用水浸入防止ガードの実施形態を図１〜図５、符号（１）〜（３）に基づいて説明する。
【００１０】  図１は、本発明の正面図である。円盤状で平面から形成される本体部を（１）とする。中央に手首装着用穴を構成して（２）を手首装着用穴部とする。外側円の縁周囲約１０ｍｍ幅にぴぃんと張りを持たせるために合成樹脂材を貼りつけて厚みを設けた厚み強化部を（３）とする。
【００１１】  上記は、手首装着用穴部（２）であり（１）素材は、ラテックスの特質により手を通し易く、抜き易い利点がある。またゴム等が材質として考えるが、伸縮自在な弾性材であれば材質を問わず。ラテックスの特質により、手首にぴったりと隙間なく、密着して装着することができ、力のない方でもスムーズに手が入るのが特徴である。
【００１２】  図２は、本発明の断面図である。本体部（１）である。中心の（２）は、手首挿入用穴部であり、（３）は合成樹脂で厚み強化して張りを持たせた部分である。合成樹脂材で（１）を両サイドから挟み貼り合わせた、厚み強化部（３）である。
【００１３】  図３は、本発明の側面図である。（１）のラテックス外側円を、合成樹脂で、縁約１０ｍｍ幅で両サイドから挟み込んで、サンドイッチに貼り合わせた、厚み強化部（３）である。厚み強化部をつけることで、水に落としても浮くのが特徴である。万が一に湯船に落としても拾いやすい。
【００１４】  上記は、（１）のラテックスの縁約１０ｍｍ幅で合成樹脂を貼り付けつば状に張りを持たせるためである。外側の周囲に合成樹脂を持ちいり、つばを、ぴぃんと張りを出した形状にするためである。（１）
（３）
ラテックス外周を、合成樹脂で両サイドから挟み、サンドイッチに貼り合わせ、張りを持たせた形を特徴とする。
【００１５】  上記（３）は、材質は合成樹脂材または弾性材を使用。又は、別素材でも肌に触ってもソフトな素材を使用しても可能であるが、材質は、張りがあってソフトで柔らか素材であれば材質を問わず。又、外側周囲を色々な形の凸凹やサインカーブやパルス波やのこぎり波等のいずれでもよい。又、カラフルにカラーを変えても可能である。かわいデザインにしてもおしゃれである。
【００１６】  図４は、本発明を手首に装着時、手首の周囲につば状に張り出す使用状態を示す斜視図である。図４を参照、袖を捲る面倒もなく、（１）を手首に係止、手首の周囲につば状に張り出した状態でつけられ、つばが、水を防いでくれる為、手首に水が浸入することなく、腕や袖口が濡れるのを防止できる。
【００１７】  図５は、本発明を手首用水浸入防止ガードを装着して洗顔場面の実施状態を示す正面図である。すくい上げた水は、手から手首に伝わり（１）で受け止め、その水は洗面台流れ落ちる様になる。袖口をまくる面倒がなく、そのまま洗顔しても衣類は濡れないのでとても便利な本発明である。
【００１８】  また、本発明本体の形状は、円形とは限らない。又厚み強化部は１０ｍｍ幅とは限らないデザインを変えれば、外側の縁幅も変わる。厚み強化部の部分を動物の顔型や花模様型や楕円型や５、６、７角形型に形を変えてもよい。子供達は、可愛いデザインを手に付ければ、自分から進んで喜んで手洗い洗顔をするのではないでしようか。
【図面の簡単な説明】
【００１９】
【図１】本発明の正面図である。
【図２】本発明の断面図である。
【図３】本発明の側面図である。
【図４】本発明の１を手首に係止した状況を示す斜視図である。
【図５】本発明の１を手首に係止して実施状況を示す正面図である。
【符号の説明】
【００２０】１．  本体部
２．  手首装着用穴部
３．  厚み強化部
【図１】
2009228196.tif 000003
【図２】
2009228196.tif 000004
【図３】
2009228196.tif 000005
【図４】
2009228196.tif 000006
【図５】
2009228196.tif 000007